(57)【要約】      （修正有）【課題】手間を要することなく非接触で２つの装置をペアリングするペアリングシステムを提供する。【解決手段】ペアリングシステム１は、給電素子１１、１２を備える給電装置１０とペアリング設定を行う第１の装置３０及び第２の装置２０とを備え、第１の装置３０は給電素子１２により非接触給電を受ける第１の受電素３１と、受電素子３１への給電を検知してペアリング設定を行うためのソフトウェアを実行して第１の装置３０の識別情報を取得する第１の制御部３２とを備え、第２の装置は給電素子１１により非接触給電を受ける第２の受電素子２１と、受電素子２１への給電を検知してペアリング設定を行うためのソフトウェアを実行する第２の制御部２２と、前記ソフトウェアにより第２の制御部２２が第１の制御部３２から取得する第１の装置３０の識別情報を記憶するメモリ２３とを備える。【選択図】図１
2014222843.tif 000002
【特許請求の範囲】
【請求項１】
２つの装置のペアリング方法であって
前記２つの装置が夫々給電装置による非接触給電を検知するステップと、
前記２つの装置が非接触給電を受けてペアリング設定を行うためのソフトウェアを実行するステップと、
前記ソフトウェアにより一方の装置の識別情報を他方の装置が備えるメモリに記憶するステップと、
を有するペアリング方法。
【請求項２】
一方の装置の識別情報を前記給電装置を介して他方の装置に出力するステップを有して前記ソフトウェアにより一方の装置の識別情報を他方の装置が備えるメモリに記憶する請求項１に記載のペアリング方法
【請求項３】
前記２つの装置が無線通信部を備え、一方の装置の識別情報を前記無線通信部による無線通信により他方の装置に出力するステップを有して前記ソフトウェアにより一方の装置の識別情報を他方の装置が備えるメモリに記憶する請求項１に記載のペアリング方法。
【請求項４】
前記２つの装置が無線通信部を備え、一方の装置の識別情報を外部の無線通信装置を介した前記無線通信部による無線通信により他方の装置に出力するステップを有して前記ソフトウェアにより一方の装置の識別情報を他方の装置が備えるメモリに記憶する請求項１に記載のペアリング方法。
【請求項５】
前記給電装置の識別情報を抽出するステップと、前記給電装置の識別情報を有する装置を探索するステップと、を有し、前記給電装置の識別情報を有する２つの装置間で一方の装置の識別情報を他方の装置が備えるメモリに記憶する請求項１〜請求項４のいずれか１項に記載のペアリング方法。
【請求項６】
給電素子を備える給電装置とペアリング設定を行う第１の装置及び第２の装置とを備えるペアリングシステムであって、
第１の装置は
前記給電素子により非接触給電を受ける第１の受電素子と、
前記受電素子への給電を検知してペアリング設定を行うためのソフトウェアを実行して第１の装置の識別情報を取得する第１の制御部と、
を備え、
第２の装置は
前記給電素子により非接触給電を受ける第２の受電素子と、
前記受電素子への給電を検知してペアリング設定を行うためのソフトウェアを実行する第２の制御部と、
前記ソフトウェアにより第２の制御部が第１の制御部から取得する第１の装置の識別情報を記憶するメモリと、
を備えるペアリングシステム。
【請求項７】
前記給電装置は第１の制御部から第１の装置の識別情報が入力され、入力された第１の装置の識別情報を第２の制御部に出力する請求項６に記載のペアリングシステム。
【請求項８】
第１の装置及び第２の装置は無線通信部を備え、第１の制御部は第１の装置及び第２の装置の前記無線通信部による無線通信により第２の制御部に第１の装置の識別情報を出力する請求項６に記載のペアリングシステム。
【請求項９】
第１の装置及び第２の装置は無線通信部を備え、第１の制御部は外部の無線通信装置を介した第１の装置及び第２の装置の前記無線通信部による無線通信により第２の制御部に第１の装置の識別情報を出力する請求項６に記載のペアリングシステム。
【請求項１０】
第１の制御部及び第２の制御部は前記給電装置の識別情報を抽出し、第１の制御部は前記給電装置の識別情報を有する第２の制御部に対して第１の装置の識別情報を出力する請求項６〜請求項９のいずれか１項に記載のペアリングシステム。
【発明の詳細な説明】
【技術分野】
【０００１】
本発明は、２つの装置を対応付けて連携させるペアリング方法及びペアリングシステムに関する。
【背景技術】
【０００２】
セットトップボックスにおける本体装置とリモコン等の付属装置のように２つの装置が一対一の関係で使用される場合に、本体装置と付属装置をペアリングすることがある。ペアリングとは２つの装置間で例えばＢｌｕｅｔｏｏｔｈ（登録商標）接続を確立した後に、共通暗号鍵を生成するとともに付属装置の識別情報（例えばＢｌｕｅｔｏｏｓｈアドレス）を本体装置が記憶することである。共通暗号鍵と付属装置の識別情報を記憶しておくことで、次回以降のＢｌｕｅｔｏｏｔｈ接続において再度設定することなく付属装置と情報の送受信や接続先装置の機能を実行することが可能になる。
【０００３】
ところで製造工程ではどの本体装置とどの付属装置が対になるか不明であるため、ペアリング設定は一般的に装置の購入者が自ら設定する必要があり手間である。装置の製造者や販売者が本体装置と付属装置を梱包する直前にペアリング設定を行うことも可能であるが、その場合でも手作業で設定することになるため筐体に傷や汚れが発生する可能性がある。
【先行技術文献】
【特許文献】
【０００４】
【特許文献１】特開２００３−６９４５８号公報
【発明の概要】
【発明が解決しようとする課題】
【０００５】
特許文献１には外部の基地局から通信モードを設定することで非接触でペアリングする技術が開示されているが、外部の基地局から通信モードを設定しなければならず手間である。
【０００６】
本発明は上述した問題点に鑑み、手間を要することなく非接触で２つの装置をペアリングする方法、ペアリングシステムを提供することを目的とする。
【課題を解決するための手段】
【０００７】
上記目的を達成するために本発明のペアリング方法は、２つの装置のペアリング方法であって前記２つの装置が夫々給電装置による非接触給電を検知するステップと、前記２つの装置が非接触給電を受けてペアリング設定を行うためのソフトウェアを実行するステップと、前記ソフトウェアにより一方の装置の識別情報を他方の装置が備えるメモリに記憶するステップと、を有することを特徴としている。
【０００８】
また上記構成のペアリング方法において、前記２つの装置が無線通信部を備え、一方の装置の識別情報を前記無線通信部による無線通信により他方の装置に出力するステップを有して前記ソフトウェアにより一方の装置の識別情報を他方の装置が備えるメモリに記憶することが望ましい。
【０００９】
また上記構成のペアリング方法において、前記２つの装置が無線通信部を備え、一方の装置の識別情報を外部の無線通信装置を介した前記無線通信部による無線通信により他方の装置に出力するステップを有して前記ソフトウェアにより一方の装置の識別情報を他方の装置が備えるメモリに記憶することが望ましい。
【００１０】
また上記構成のペアリング方法において、ペアリング設定を行う２つの装置が無線通信部を備え、一方の装置の識別情報を外部の無線通信装置を介した前記無線通信部による無線通信により他方の装置に出力するステップを有して前記ソフトウェアにより一方の装置の識別情報を他方の装置が備えるメモリに記憶することが望ましい。
【００１１】
また上記構成のペアリング方法において、前記給電装置の識別情報を抽出するステップと、前記給電装置の識別情報を有する装置を探索するステップと、を有し、前記給電装置の識別情報を有する２つの装置間で一方の装置の識別情報を他方の装置が備えるメモリに記憶することが望ましい。
【００１２】
上記目的を達成するために本発明のペアリングシステムは、給電素子を備える給電装置とペアリング設定を行う第１の装置及び第２の装置とを備えるペアリングシステムであって、第１の装置は前記給電素子により非接触給電を受ける第１の受電素子と、前記受電素子への給電を検知してペアリング設定を行うためのソフトウェアを実行して第１の装置の識別情報を取得する第１の制御部と、を備え、第２の装置は前記給電素子により非接触給電を受ける第２の受電素子と、前記受電素子への給電を検知してペアリング設定を行うためのソフトウェアを実行する第２の制御部と、前記ソフトウェアにより第２の制御部が第１の制御部から取得する第１の装置の識別情報を記憶するメモリと、を備えることを特徴としている。
【００１３】
また上記構成のペアリングシステムにおいて、前記給電装置は第１の制御部から第１の装置の識別情報が入力され、入力された第１の装置の識別情報を第２の制御部に出力することが望ましい。
【００１４】
また上記構成のペアリングシステムにおいて、第１の装置及び第２の装置は無線通信部を備え、第１の制御部は第１の装置及び第２の装置の前記無線通信部による無線通信により第２の制御部に第１の装置の識別情報を出力することが望ましい。
【００１５】
また上記構成のペアリングシステムにおいて、第１の装置及び第２の装置は無線通信部を備え、第１の制御部は外部の無線通信装置を介した第１の装置及び第２の装置の前記無線通信部による無線通信により第２の制御部に第１の装置の識別情報を出力することが望ましい。
【００１６】
また上記構成のペアリングシステムにおいて、第１の制御部及び第２の制御部は前記給電装置の識別情報を抽出し、第１の制御部は前記給電装置の識別情報を有する第２の制御部に対して第１の装置の識別情報を出力することが望ましい。
【発明の効果】
【００１７】
本発明によれば、ペアリング設定を行う対象である２つの装置において、非接触給電をトリガとしてペアリング設定を行うためのソフトウェアを実行する。ソフトウェアが実行さｓれると一方の装置から他方の装置に対して自装置の識別情報を出力し、他方の装置は当該識別情報を記憶する。これによりペアリング設定が完了する。当該ペアリング設定は非接触給電を開始することで実行されるため、２つの装置を１つのケースに梱包する前のみならず、梱包した後であってもペアリング設定を容易に実行できる。
【図面の簡単な説明】
【００１８】
【図１】第１実施形態のペアリングシステムを示す図
【図２】第１実施形態のペアリングシステムにおけるペアリングの流れを示すフローチャート
【図３】第２実施形態のペアリングシステムを示す図
【図４】第２実施形態のペアリングシステムにおけるペアリングの流れを示すフローチャート
【図５】第３実施形態のペアリングシステムを示す図
【図６】第３実施形態のペアリングシステムにおけるペアリングの流れを示すフローチャート
【図７】第４実施形態のペアリングシステムにおけるペアリングの流れを示すフローチャート
【発明を実施するための形態】
【００１９】
＜第１実施形態＞
以下に本発明のペアリング方法及びペアリングシステムについて図面を参照して説明する。なお、本実施形態及び以降の実施形態は、本発明の技術的思想を具体化するためにペアリング方法及びペアリングシステムの一例を示すものであって、本発明をこれらペアリング方法及びペアリングシステムに特定することを意図するものではなく、特許請求の範囲に含まれるその他の実施形態のペアリング方法及びペアリンスシステムにも等しく適応し得るものである。
【００２０】
図１は本実施形態のペアリングシステムを示す図である。本実施形態のペアリングシステム１は給電素子（詳細は後述）を備える給電装置１０と、ケース１００に梱包されて夫々受電素子（詳細は後述）を備える本体装置２０と付属装置３０とを有する。給電装置１０は給電素子１１及び１２を備える。給電素子１１、１２の材質や形状は特に限られるものではないが、例えば上面視で渦巻きの中心に向かって渦を巻く形状を有するコイルモジュールが使用される。
【００２１】
本体装置２０は例えばセットトップボックスにおける本体であり、付属装置３０は例えばセットトップボックスにおけるリモコンやヘッドセット等のデバイスである。本体装置２０及び付属装置３０は夫々給電素子１１及び１２に対応する受電素子２１、３１を有する。
【００２２】
給電素子１１、１２に交流電力が供給されると給電面に垂直な方向（図１ではＹ軸方向）に交番磁界が生じる。この交番磁界により給電素子１１、１２に近づけられた受電素子２１、３１に誘導電流が励起され、電力が伝送される。また、非接触給電の高周波電力とは異なる周波数（通信用周波数）を用いて各種情報を非接触給電の高周波電力に重畳することで情報の送受信が可能である。つまり給電素子１１、１２及び受電素子２１、２２は電力送受の他、電力供給元又は電力供給先と通信可能な通信部として機能する。
【００２３】
本体装置２０はさらに制御部２２とフラッシュロム等のメモリ２３を備える。制御部２２は本体装置２０全体を制御する制御手段である。制御部２２はＣＰＵ２２１とＲＯＭ２２２とＲＡＭ２２３とを含んでいる。ＲＯＭ２２２には制御部２２が実行するソフトウェア及びプログラム、ソフトウェア及びプログラムの実行に必要なパラメータやデータが記憶されている。ＣＰＵ２２１はＲＯＭ２２２に記憶されている各種ソフトウェアおよびプログラムを実行する。ＲＡＭ２２３は各種処理の過程で得られるデータや各種処理の結果得られるデータを一時的に格納する。これらＣＰＵ２２１、ＲＯＭ２２２、ＲＡＭ２２３等は、バスを介して接続されている。なお、ＣＰＵ２２１、ＲＯＭ２２２及びＲＡＭ２２３はこれらの一部または全部を１チップに集積化しても構わない。
【００２４】
本実施形態ではＲＯＭ２２２にペアリング設定を行うためのソフトウェアが記憶されている。ペアリング設定を行うためのソフトウェアが起動（実行）されると、他の装置とのペアリング設定を行うための処理が実行される。
【００２５】
具体的には制御部２２のＣＰＵ２２１は受電素子２１と給電素子１１との非接触給電が開始されるたときにＲＡＭ２２２に記憶されているペアリング設定を行うためのソフトウェアを実行する。ペアリング設定を行うためのソフトウェアを実行したことによって得られた情報（後述する付属装置３０の識別情報）はメモリ２３に記憶される。
【００２６】
付属装置３０はさらに制御部３２とフラッシュロム等のメモリ３３を備える。制御部３２は付属装置３０全体を制御する制御手段である。制御部３２はＣＰＵ３２１とＲＯＭ３２２とＲＡＭ３２３とを含んでいる。ＲＯＭ３２２には制御部３２が実行するソフトウェア及びプログラム、ソフトウェア及びプログラムの実行に必要なパラメータやデータが記憶されている。ＣＰＵ３２１はＲＯＭ３２２に記憶されている各種ソフトウェアおよびプログラムを実行する。ＲＡＭ３２３は各種処理の過程で得られるデータや各種処理の結果得られるデータを一時的に格納する。これらＣＰＵ３２１、ＲＯＭ３２２、ＲＡＭ３２３等は、バスを介して接続されている。なお、ＣＰＵ３２１、ＲＯＭ３２２及びＲＡＭ３２３はこれらの一部または全部を１チップに集積化しても構わない。
【００２７】
本実施形態ではＲＯＭ３２２にペアリング設定を行うためのソフトウェアが記憶されている。ペアリング設定を行うためのソフトウェアが起動（実行）されると、他の装置とのペアリング設定を行うための処理が実行される。
【００２８】
具体的には制御部３２のＣＰＵ３２１は受電素子３１と給電素子１２との非接触給電が開始されるたときにＲＡＭ３２２に記憶されているペアリング設定を行うためのソフトウェアを実行する。メモリ３３には付属装置３０の識別情報が記憶される。本実施形態において記憶される付属装置３０の識別情報としては製造ロット番号が例示される。
【００２９】
以下、本実施形態のペアリングシステム１においてペアリング設定が開始されてからペアリング設定が完了するまでの流れを図２を参照して説明する。図２はペアリング完了までの流れを示すフローチャートである。
【００３０】
ステップＳ０１、Ｓ１１で制御部２２、３２は夫々非接触給電が開始されたか否かを判定する。非接触給電が開始されていれば（ステップＳ０１、Ｓ１１のＹ）ステップＳ０２、Ｓ１２に進み、非接触給電が開始されていなければステップＳ０１、Ｓ１１に戻る。本体装置２０及び付属装置３０がケース１００に梱包されている場合においては非接触給電が開始されることによって制御部２２、３２に電力が供給されて図２の処理が開始されるため、その場合にはステップＳ０１、Ｓ１１の判定を行うことなくステップＳ０２、Ｓ１２以降の処理を行うこととしてもよい。
【００３１】
ステップＳ０２、Ｓ１２で制御部２２、３２のＣＰＵ２２１、３２１はペアリング設定のためのソフトウェアを実行する。ステップＳ１３において制御部３２はメモリ３３から自装置の識別情報を取得して当該情報を給電装置の高周波電力に重畳する。高周波電力に重畳された付属装置３０の識別情報は給電素子１１と受電素子２１の非接触給電を介して制御部２２に出力される。
【００３２】
ステップＳ０３において制御部２２は付属装置３０の識別情報を取得したか否かを判定する。付属装置３０の識別情報を取得していれば（ステップＳ０３のＹ）ステップＳ０４に進んで付属装置３０の識別情報をメモリ２３に記憶する。これによりペアリング設定が完了し、次回以降はペアリング設定を要することなく付属装置３０を本体装置２０に対して使用可能である。
【００３３】
本実施形態によればペアリング設定を行う対象である２つの装置において、非接触給電をトリガとしてペアリング設定を行うためのソフトウェアを実行する。ソフトウェアが実行さｓれると一方の装置から他方の装置に対して自装置の識別情報を出力し、他方の装置は当該識別情報を記憶する。これによりペアリング設定が完了する。当該ペアリング設定は非接触給電を開始することで実行されるため、２つの装置を１つのケースに梱包する前のみならず、梱包した後であってもペアリング設定を容易に実行できる。
【００３４】
＜第２実施形態＞
図３は本実施形態のペアリングシステムを示す図である。第１実施形態では給電素子及び受電素子が通信部として機能したが本実施形態は本体装置及び付属装置が夫々通信部を備える。
【００３５】
本実施形態のペアリングシステム１は給電素子（詳細は後述）を備える給電装置１０と、ケース１００に梱包されて夫々受電素子（詳細は後述）を備える本体装置４０と付属装置５０と、ロムライタ（パソコン）６０に接続された外部無線通信装置７０を有する。給電装置１０は給電素子１１及び１２を備える。給電素子１１、１２の材質や形状は特に限られるものではないが、例えば上面視で渦巻きの中心に向かって渦を巻く形状を有するコイルモジュールが使用される。
【００３６】
本体装置４０は例えばセットトップボックスにおける本体であり、付属装置５０は例えばセットトップボックスにおけるリモコンやヘッドセット等のデバイスである。本体装置４０及び付属装置５０は夫々給電素子１１及び１２に対応する受電素子４１、５１を有する。
【００３７】
給電素子１１、１２に交流電力が供給されると給電面に垂直な方向（図３ではＹ軸方向）に交番磁界が生じる。この交番磁界により給電素子１１、１２に近づけられた受電素子４１、５１に誘導電流が励起され、電力が伝送される。
【００３８】
本体装置４０はさらに制御部４２とフラッシュロム等のメモリ４３と通信部４４を備える。制御部４２は本体装置４０全体を制御する制御手段である。制御部４２はＣＰＵ４２１とＲＯＭ４２２とＲＡＭ４２３とを含んでいる。ＲＯＭ４２２には制御部４２が実行するソフトウェア及びプログラム、ソフトウェア及びプログラムの実行に必要なパラメータやデータが記憶されている。ＣＰＵ４２１はＲＯＭ４２２に記憶されている各種ソフトウェアおよびプログラムを実行する。ＲＡＭ４２３は各種処理の過程で得られるデータや各種処理の結果得られるデータを一時的に格納する。これらＣＰＵ４２１、ＲＯＭ４２２、ＲＡＭ４２３等は、バスを介して接続されている。なお、ＣＰＵ４２１、ＲＯＭ４２２及びＲＡＭ４２３はこれらの一部または全部を１チップに集積化しても構わない。
【００３９】
本実施形態ではＲＯＭ４２２にペアリング設定を行うためのソフトウェアが記憶されている。ペアリング設定を行うためのソフトウェアが起動（実行）されると、他の装置とのペアリング設定を行うための処理が実行される。
【００４０】
具体的には制御部４２のＣＰＵ４２１は受電素子４１と給電素子１１との非接触給電が開始されるたときにＲＡＭ４２２に記憶されているペアリング設定を行うためのソフトウェアを実行する。ペアリング設定を行うためのソフトウェアを実行したことによって得られた情報（後述する付属装置５０の識別情報）はメモリ４３に記憶される。通信部４４は後述する外部無線通信装置７０と情報の送受信を行う。
【００４１】
付属装置５０はさらに制御部５２とフラッシュロム等のメモリ５３と通信部５４を備える。制御部５２は付属装置５０全体を制御する制御手段である。制御部５２はＣＰＵ５２１とＲＯＭ５２２とＲＡＭ５２３とを含んでいる。ＲＯＭ５２２には制御部５２が実行するソフトウェア及びプログラム、ソフトウェア及びプログラムの実行に必要なパラメータやデータが記憶されている。ＣＰＵ５２１はＲＯＭ５２２に記憶されている各種ソフトウェアおよびプログラムを実行する。ＲＡＭ５２３は各種処理の過程で得られるデータや各種処理の結果得られるデータを一時的に格納する。これらＣＰＵ５２１、ＲＯＭ５２２、ＲＡＭ５２３等は、バスを介して接続されている。なお、ＣＰＵ５２１、ＲＯＭ５２２及びＲＡＭ５２３はこれらの一部または全部を１チップに集積化しても構わない。
【００４２】
本実施形態ではＲＯＭ５２２にペアリング設定を行うためのソフトウェアが記憶されている。ペアリング設定を行うためのソフトウェアが起動（実行）されると、他の装置とのペアリング設定を行うための処理が実行される。
【００４３】
具体的には制御部５２のＣＰＵ５２１は受電素子５１と給電素子１２との非接触給電が開始されるたときにＲＡＭ５２２に記憶されているペアリング設定を行うためのソフトウェアを実行する。メモリ５３には付属装置５０の識別情報が記憶される。本実施形態において記憶される付属装置５０の識別情報としては製造ロット番号、Ｂｌｕｅｔｏｏｔｈアドレス、ＭＡＣアドレス、ＩＰアドレスが例示される。通信部５４は後述する外部無線通信装置７０と情報の送受信を行う。
【００４４】
ロムライタ６０はパソコン等の情報処理装置であり、ロムライタ６０には外部無線通信装置７０が接続される。ロムライタ６０と通信部４４、５４とはＢｌｕｔｏｏｔｈやＷｉ−Ｆｉ（登録商標）、Ｐ２Ｐ等の無線通信により接続され、通信部４４と５４とは外部無線通信装置７０を介して情報の送受信を行う。
【００４５】
以下、本実施形態のペアリングシステム１においてペアリング設定が開始されてからペアリング設定が完了するまでの流れを図４を参照して説明する。図４はペアリング完了までの流れを示すフローチャートである。
【００４６】
ステップＳ２１、Ｓ３１で制御部４２、５２は夫々非接触給電が開始されたか否かを判定する。非接触給電が開始されていれば（ステップＳ２１、Ｓ３１のＹ）ステップＳ２２、Ｓ３２に進み、非接触給電が開始されていなければステップＳ２１、Ｓ３１に戻る。本体装置４０及び付属装置５０がケース１００に梱包されている場合においては非接触給電が開始されることによって制御部４２、５２に電力が供給されて図４の処理が開始されるため、その場合にはステップＳ２１、Ｓ３１の判定を行うことなくステップＳ２２、Ｓ３２以降の処理を行うこととしてもよい。
【００４７】
ステップＳ２２、Ｓ３２で制御部４２、５２のＣＰＵ４２１、５２１はペアリング設定のためのソフトウェアを実行する。ステップＳ３３において制御部５２はメモリ５３から自装置の識別情報を取得して通信部５４を介して当該情報を外部無線通信装置７０に送信する。外部無線通信装置７０に送信された付属装置５０の識別情報はロムライタ６０に保管され、さらに外部無線通信装置７０及び通信部４４を介して制御部４２に出力される。
【００４８】
ステップＳ２３において制御部４２は付属装置５０の識別情報を取得したか否かを判定する。付属装置５０の識別情報を取得していれば（ステップＳ２３のＹ）ステップＳ２４に進んで付属装置５０の識別情報をメモリ４３に記憶する。これによりペアリング設定が完了し、次回以降はペアリング設定を要することなく付属装置５０を本体装置４０に対して使用可能である。
【００４９】
本実施形態によれば第１実施形態と同様の効果を奏する。
【００５０】
＜第３実施形態＞
図５は本実施形態のペアリングシステムを示す図である。第２実施形態では本体装置及び付属装置が夫々通信部を備えて外部無線通信装置を介して付属装置の識別情報の送受信を行ったが、本体装置及び付属装置が直接付属装置の識別情報の送受信を行うこととしてもよい。
【００５１】
本実施形態のペアリングシステム１は給電素子（詳細は後述）を備える給電装置１０と、ケース１００に梱包されて夫々受電素子（詳細は後述）を備える本体装置８０と付属装置９０とを有する。給電装置１０は給電素子１１及び１２を備える。給電素子１１、１２の材質や形状は特に限られるものではないが、例えば上面視で渦巻きの中心に向かって渦を巻く形状を有するコイルモジュールが使用される。
【００５２】
本体装置８０は例えばセットトップボックスにおける本体であり、付属装置９０は例えばセットトップボックスにおけるリモコンやヘッドセット等のデバイスである。本体装置８０及び付属装置９０は夫々給電素子１１及び１２に対応する受電素子８１、９１を有する。
【００５３】
給電素子１１、１２に交流電力が供給されると給電面に垂直な方向（図５ではＹ軸方向）に交番磁界が生じる。この交番磁界により給電素子１１、１２に近づけられた受電素子８１、９１に誘導電流が励起され、電力が伝送される。
【００５４】
本体装置８０はさらに制御部８２とフラッシュロム等のメモリ８３と通信部８４を備える。制御部８２は本体装置８０全体を制御する制御手段である。制御部８２はＣＰＵ８２１とＲＯＭ８２２とＲＡＭ８２３とを含んでいる。ＲＯＭ８２２には制御部８２が実行するソフトウェア及びプログラム、ソフトウェア及びプログラムの実行に必要なパラメータやデータが記憶されている。ＣＰＵ８２１はＲＯＭ８２２に記憶されている各種ソフトウェアおよびプログラムを実行する。ＲＡＭ８２３は各種処理の過程で得られるデータや各種処理の結果得られるデータを一時的に格納する。これらＣＰＵ８２１、ＲＯＭ８２２、ＲＡＭ８２３等は、バスを介して接続されている。なお、ＣＰＵ８２１、ＲＯＭ８２２及びＲＡＭ８２３はこれらの一部または全部を１チップに集積化しても構わない。
【００５５】
本実施形態ではＲＯＭ８２２にペアリング設定を行うためのソフトウェアが記憶されている。ペアリング設定を行うためのソフトウェアが起動（実行）されると、他の装置とのペアリング設定を行うための処理が実行される。
【００５６】
具体的には制御部８２のＣＰＵ８２１は受電素子８１と給電素子１１との非接触給電が開始されるたときにＲＡＭ８２２に記憶されているペアリング設定を行うためのソフトウェアを実行する。ペアリング設定を行うためのソフトウェアを実行したことによって得られた情報（後述する付属装置９０の識別情報）はメモリ８３に記憶される。通信部８４は後述する通信部９４と情報の送受信を行う。
【００５７】
付属装置９０はさらに制御部９２とフラッシュロム等のメモリ９３と通信部９４を備える。制御部９２は付属装置９０全体を制御する制御手段である。制御部９２はＣＰＵ９２１とＲＯＭ９２２とＲＡＭ９２３とを含んでいる。ＲＯＭ９２２には制御部９２が実行するソフトウェア及びプログラム、ソフトウェア及びプログラムの実行に必要なパラメータやデータが記憶されている。ＣＰＵ９２１はＲＯＭ９２２に記憶されている各種ソフトウェアおよびプログラムを実行する。ＲＡＭ９２３は各種処理の過程で得られるデータや各種処理の結果得られるデータを一時的に格納する。これらＣＰＵ９２１、ＲＯＭ９２２、ＲＡＭ９２３等は、バスを介して接続されている。なお、ＣＰＵ９２１、ＲＯＭ９２２及びＲＡＭ９２３はこれらの一部または全部を１チップに集積化しても構わない。
【００５８】
本実施形態ではＲＯＭ９２２にペアリング設定を行うためのソフトウェアが記憶されている。ペアリング設定を行うためのソフトウェアが起動（実行）されると、他の装置とのペアリング設定を行うための処理が実行される。
【００５９】
具体的には制御部９２のＣＰＵ９２１は受電素子９１と給電素子１２との非接触給電が開始されるたときにＲＡＭ９２２に記憶されているペアリング設定を行うためのソフトウェアを実行する。メモリ９３には付属装置９０の識別情報が記憶される。本実施形態において記憶される付属装置９０の識別情報としては製造ロット番号、Ｂｌｕｅｔｏｏｔｈアドレス、ＭＡＣアドレス、ＩＰアドレスが例示される。通信部９４は通信部８４と情報の送受信を行う。通信部８４と通信部９４とはＢｌｕｔｏｏｔｈやＷｉ−Ｆｉ、Ｐ２Ｐ等の無線通信により接続される。
【００６０】
以下、本実施形態のペアリングシステム１においてペアリング設定が開始されてからペアリング設定が完了するまでの流れを図６を参照して説明する。図６はペアリング完了までの流れを示すフローチャートである。
【００６１】
ステップＳ４１、Ｓ５１で制御部８２、９２は夫々非接触給電が開始されたか否かを判定する。非接触給電が開始されていれば（ステップＳ４１、Ｓ５１のＹ）ステップＳ４２、Ｓ５２に進み、非接触給電が開始されていなければステップＳ４１、Ｓ５１に戻る。本体装置８０及び付属装置９０がケース１００に梱包されている場合においては非接触給電が開始されることによって制御部８２、９２に電力が供給されて図６の処理が開始されるため、その場合にはステップＳ４１、Ｓ５１の判定を行うことなくステップＳ４２、Ｓ５２以降の処理を行うこととしてもよい。
【００６２】
なお本実施形態において非接触給電の高周波電力には給電装置１０の固有の識別情報（例えば製造ロット番号を示す情報）が重畳されている。
【００６３】
ステップＳ４２、Ｓ５２で制御部８２、９２のＣＰＵ８２１、９２１はペアリング設定のためのソフトウェアを実行する。
【００６４】
ステップＳ４３、Ｓ５３において制御部８２、９２は非接触給電の高周波電力に重畳された給電装置１０の識別情報を抽出する。
【００６５】
ステップＳ４４において制御部８２はステップＳ４３で抽出した給電装置１０の識別情報が、ステップＳ５３で制御部９２が抽出した給電装置１０の識別情報と一致するか否かを判定する。識別情報が一致する場合（ステップＳ４４のＹ）にはステップＳ４５に進み、識別情報が一致しなければ処理を終了する。
【００６６】
ステップＳ４５において制御部８２は制御部９２に対して付属装置９０の識別情報を要求する。
【００６７】
ステップＳ５４において制御部９２はメモリ９３から自装置の識別情報を取得する。取得した自装置の識別情報は通信部９４及び通信部８４を介して制御部８２に出力される。
【００６８】
ステップＳ４６において制御部８２は付属装置９０の識別情報を取得したか否かを判定する。付属装置９０の識別情報を取得していれば（ステップＳ４６のＹ）ステップＳ４７に進んで付属装置９０の識別情報をメモリ８３に記憶する。これによりペアリング設定が完了し、次回以降はペアリング設定を要することなく付属装置９０を本体装置８０に対して使用可能である。
【００６９】
本実施形態によれば第１実施形態と同様の効果を奏する。
【００７０】
＜第４実施形態＞
上記各実施形態では非接触給電が開始されることをトリガとしてペアリング設定のソフトウェアを実行することとした。しかしながらこれに限られるものではなく、非接触給電の高周波電力にペアリング設定のソフトウェアを実行するトリガとなる信号が重畳されており、当該信号を受信した場合にペアリング設定のソフトウェアを実行することとしてもよい。
【００７１】
以下、本実施形態のペアリングシステム１においてペアリング設定が開始されてからペアリング設定が完了するまでの流れを図７を参照して説明する。図７はペアリング完了までの流れを示すフローチャートである。なお、本実施形態は第１実施形態の変形例として説明を行うが第２実施形態及び第３実施形態にも適用可能である。
【００７２】
なお、図７のフローチャートのステップＳ６１、Ｓ６３〜Ｓ６５、Ｓ７１、Ｓ７３〜Ｓ７４は夫々図２のフローチャートのステップＳ０１、Ｓ０２〜Ｓ０４、Ｓ１１、Ｓ１２〜Ｓ１３と同様であるため説明を省略する。
【００７３】
ステップＳ６２、Ｓ７２で制御部２２、３２は夫々非接触給電の高周波電力にペアリング設定のトリガとなる信号が重畳されているか否かを判定する。非接触給電の高周波電力にペアリング設定のトリガとなる信号が重畳されていれば（ステップＳ６２、Ｓ７２のＹ）ステップＳ６３、Ｓ７３に進み、非接触給電の高周波電力にペアリング設定のトリガとなる信号が重畳されていなければ（ステップＳ６２、Ｓ７２のＮ）ステップＳ６２、Ｓ７２に戻る。
【００７４】
本実施形態によれば第１実施形態と同様の効果を奏する。加えて非接触給電の高周波電力にペアリング設定のトリガとなる信号が重畳されているときに限りペアリング設定のソフトウェアが実行されるので所望のタイミングでペアリング設定を実行し、または更新することができる。
【００７５】
＜第５実施形態＞
第２実施形態及び第３実施形態では本体装置の通信部と付属装置の通信部が直接的に又は間接的に通信を行って付属装置の識別情報の送受信を行った。しかし複数の本体装置がペアリング設定のソフトウェアを実行し、及び／又は複数の付属装置がペアリング設定のソフトウェアを実行している場合にはユーザの望む本体装置と付属装置がペアリングされない可能性がある。そこで本実施形態はそのような場合でも確実にペアリング可能なペアリングシステムを提供する。
【００７６】
なお、本実施形態は第３実施形態の変形例として説明を行うが第２実施形態は勿論のこと第１実施形態や第４実施形態に適用することとしてもよい。本実施形態において給電装置１０は非接触給電の高周波電力に給電装置１０の識別情報を示す高調波を重畳する。制御部８２及び９２は非接触給電の高周波電力に重畳された高調波から給電装置１０の識別情報を取得する。
【００７７】
また、制御部８２、９２は通信部８４、９４を介して給電装置１０の識別情報（抽出した給電装置の識別番号と同一の識別番号）を有する装置を探索可能である。例えば制御部８２が給電装置１０の識別情報を有する付属装置として付属装置９０を探索したときに付属装置９０の識別情報をメモリ８４に記憶する。
【００７８】
本実施形態によれば第２実施形態及び第３実施形態と同様の効果を奏する。加えて給電装置の識別情報に基づいてペアリング設定すべき対象を特定するので複数の本体装置や複数の付属装置がある場合にも確実にペアリング設定することができる。
【符号の説明】
【００７９】
１      ペアリングシステム
１０      給電装置
１１、１２      給電素子
２０、４０、８０      本体装置
２１、４１、８１      受電素子
２２、４２、８２      制御部
２３、４３、８３      メモリ
３０、５０、９０      付属装置
３１、５１、９１      受電素子
３２、５２、９２      制御部
３３、５３、９３      メモリ
４４、８４      通信部
５４、９４      通信部
６０      ロムライタ
７０      外部無線通信装置
【図１】
2014222843.tif 000003
【図２】
2014222843.tif 000004
【図３】
2014222843.tif 000005
【図４】
2014222843.tif 000006
【図５】
2014222843.tif 000007
【図６】
2014222843.tif 000008
【図７】
2014222843.tif 000009